(57)【要約】  【課題】  一箇所の操作で遮光フード全体の開閉動作を一挙に円滑に行うことができ、しかも、天板の第１の板と第２の板や左右側板の第１の板と第２の板とを面一になるように開いたり、この開いた状態において天板の下面と左右側板の上端との間に隙間を生じさせないようにしたりする。【解決手段】  ディスプレイ装置Ｌの表示画面の四周囲のうち、その上面側と連結される天板Ｆｕと、左右側面側に連結される左右側板Ｆｌ，Ｆｒとにより構成される遮光フードＦは、天板Ｆｕと左右側板Ｆｌ，Ｆｒとを連繋動作させる連繋手段１１を備える。この連繋手段１１は、天板Ｆｕの第２の板Ｆｕ２と左右側板Ｆｌ，Ｆｒの第２の板Ｆｌ２，Ｆｒ２とを連繋動作させるもので、天板Ｆｕの第２の板Ｆｕ２が遮光のために開くときには左右側板Ｆｌ，Ｆｒの第２の板Ｆｌ２，Ｆｒ２と連繋して開く動作をさせ、天板Ｆｕの第２の板Ｆｕ２が閉じるときには左右側板Ｆｌ，Ｆｒの第２の板Ｆｌ２，Ｆｒ２と連繋して閉じる動作をさせる。  【選択図】  図７
2006173725.tif 000002
【特許請求の範囲】
【請求項１】
ディスプレイ装置の表示画面に外光が入り込まないように遮光するディスプレイ装置用の遮光フードであって、
ディスプレイ装置の表示画面の四周囲のうち、その上面側と連結される天板と、その左右側面側に連結される左右側板とにより上記遮光フードが構成されるとともに、天板と左右側板とを連繋動作させる連繋手段を備え、
天板と左右側板は、表示画面側との連結部を介して回動可能な第１の板と、第１の板との連結部を介して回動可能な第２の板とを少なくとも有し、
遮光フードが遮光のために開くときには、第１の板と第２の板とが表示画面側から連結部を介して引き出され、遮光フードが閉じるときには第１の板と第２の板とが表示画面側に連結部を介して折り畳まれ、
連繋手段は、天板の第２の板と左右側板の第２の板とを連繋動作させるもので、天板の第２の板が遮光のために開くときには左右側板の第２の板と連繋して開く動作をさせ、天板の第２の板が閉じるときには左右側板の第２の板と連繋して閉じる動作をさせることを特徴とするディスプレイ装置用の遮光フード。
【請求項２】
前記連繋手段がＬ字状のもので、その一辺側軸部が天板の第２の板の角隅部に回転可能に軸着され、その他辺側軸部が左右側板の第２の板の角隅部に回転可能に軸着され、天板とその左右の左右側板との各々角隅部の２箇所に配されていることを特徴とする請求項１記載のディスプレイ装置用の遮光フード。
【請求項３】
遮光フードが遮光のために開いた状態においては、天板の第１の板と表示画面側との連結部の高さ位置が天板の第１の板の第２の板との連結部の高さ位置よりもやや高い位置に設定されており、前記連繋手段の他辺側軸部は遮光フードが遮光のために開くときには左右側板の第２の板に対して下方にスライドし、遮光フードが閉じるときには左右側板の第２の板に対して上方にスライドすることを特徴とする請求項２記載のディスプレイ装置用の遮光フード。
【発明の詳細な説明】
【技術分野】
【０００１】
この発明は、液晶ディスプレイやプラズマディスプレイ、ＣＲＴディスプレイなどのディスプレイ装置の表示画面に外光が入り込むことを防止するディスプレイ装置用の遮光フードに関する。
【背景技術】
【０００２】
テレビやカーナビゲーション用ディスプレイ等として使用される液晶ディスプレイやプラズマディスプレイ、ＣＲＴディスプレイ装置においては、その表示画面に太陽光や蛍光灯のような照明器具の外光が入り込むと、表示画面の画像が見えづらくなることから、このような外光が入り込むことを防止する必要があり、特許文献として特許文献１や特許文献２などが開示されている。
【０００３】
特許文献１は、遮光フードをスライド式にしたもので、ディスプレイ装置の表示画面２２の外周にスライドレール２５，２６を有するスライド機構を備えた日よけカバー２３を設けたものであり、光線の強弱や照射角度に応じて、日よけカバー２３をスライドさせ、表示画面２２を覆う日よけカバー２３の長さを調整する。日よけカバー２３は、天板及び左右側板を一体化させた構成である。
【０００４】
特許文献２は、予め表示画面の外周に突出して配されている遮光フードであって、その天板と左右側板とを内側に折り畳んで表示画面を完全に覆うものであり、ディスプレイ装置（表示装置１００）の表示画面の周囲に取り付けられ、使用状態では表示画面に向かう光線を遮断し、折り畳み状態では、表示画面全体を覆ってこれを保護する。この遮光フードは、表示画面の周囲（外周）を覆う開口部２を有する外枠（本体部１）と、この開口部２の上端と左右側端に回動可能に取り付けられた天板８と左右側板３，４，５，６とによって構成されている。左右側板３，４，５，６は、上板部材５，６と下板部材３，４の二部材に分かれており、互いに回動可能に連結されている。この遮光フードを折り畳むときは、天板８を表示画面に向かって回動させると、上板部材５，６と下板部材３，４とが内側に折り畳まれるとともに、天板８が閉じて表示画面を覆う。逆に、遮光フードとして使用するときは、表示画面側に閉じた天板８を上方に回動させていくと、内側に折り畳まれていた上板部材５，６と下板部材３，４とが天板８と共に回動しながら引き出される。
【０００５】
【特許文献１】実開平５−７４９６６号公報
【特許文献２】特開平８−４４３０１号公報
【発明の開示】
【発明が解決しようとする課題】
【０００６】
しかしながら、特許文献１のようなスライド機構においては、遮光フードを表示画面の前方に引き出して使用して、必要のないときは後方に移動させるもので、その移動の距離を予め大きくとっておかなければならず、このため装置が大型化する問題を有する。例えば、近年大型化の傾向にある液晶ディスプレイやプラズマディスプレイのテレビにおいて上記スライド機構を採用すると、テレビの奥行きが異様な大きさ（長さ）になってしまう。一方、特許文献２のように表示画面を覆うような折り畳み構造では、遮光フードが常に表示画面の前方側の周囲を取り囲んだ状態であるため、遮光フードが視界の邪魔になったり、取り外しが問題になったりする。例えば、カーナビゲーション用ディスプレイに上記遮光フードを取り付け、炎天下で自動車を運転しながら位置情報を得ているとき、運転座席から上記遮光フードが取り付けられたディスプレイを覗き込むようにしなければ表示画面の画像を認識できない事態が想定される。また、遮光フードが必要ないと感じるときでもこれを外すことは容易でない。
【０００７】
そこで、本発明の目的は、予め大きな遮光フードとしなくとも、必要なときには容易に遮光フードとして開いて使用することができ、必要がないときには閉じて使用することができる遮光フードとするとともに、この遮光フード全体の開閉動作を一箇所の操作のみで一挙に円滑に行うことができ、しかも、このような折り畳み開閉式の遮光フードでありながら、天板の第１の板と第２の板や左右側板の第１の板と第２の板とが面一になるように開いたり、この開いた状態において天板の下面と左右側板の上端との間に隙間を生じさせないようにしたりすることが可能なディスプレイ装置用の遮光フードを提供することにある。
【課題を解決するための手段】
【０００８】
本発明の請求項１記載のディスプレイ装置用の遮光フードは、ディスプレイ装置の表示画面に外光が入り込まないように遮光するディスプレイ装置用の遮光フードであって、ディスプレイ装置の表示画面の四周囲のうち、その上面側と連結される天板と、その左右側面側に連結される左右側板とにより上記遮光フードが構成されるとともに、天板と左右側板とを連繋動作させる連繋手段を備え、天板と左右側板は、表示画面側との連結部を介して回動可能な第１の板と、第１の板との連結部を介して回動可能な第２の板とを少なくとも有し、遮光フードが遮光のために開くときには、第１の板と第２の板とが表示画面側から連結部を介して引き出され、遮光フードが閉じるときには第１の板と第２の板とが表示画面側に連結部を介して折り畳まれ、連繋手段は、天板の第２の板と左右側板の第２の板とを連繋動作させるもので、天板の第２の板が遮光のために開くときには左右側板の第２の板と連繋して開く動作をさせ、天板の第２の板が閉じるときには左右側板の第２の板と連繋して閉じる動作をさせることを特徴とする。
【０００９】
本発明によれば、遮光フードを遮光のために開くときには、天板や左右側板を手で把持していずれかの第２の板を表示画面側からその前方に引き出すようにすると、天板の第２の板は連結部を介して回動可能な第１の板と連結されているので、第１の板の回動とともに第２の板も回動して前方に引き出される。天板の第２の板が引き出されると、天板の第２の板と左右側板の第２の板とを連繋動作させる連繋手段により左右側板の第２の板も前方に引き出され、左右側板の第２の板は連結部を介して回動可能な第１の板と連結されているので、第２の板の回動とともに第１の板も回動して前方に引き出される。他方、遮光フードを閉じるときには、天板の第２の板を手で把持して表示画面側へ向けて折り畳むようにすると、天板の第２の板は連結部を介して回動可能な第１の板と連結されているので、第１の板の回動とともに第２の板も回動して折り畳まれる。天板の第２の板が折り畳まれると、天板の第２の板と左右側板の第２の板とを連繋動作させる連繋手段により左右側板の第２の板も折り畳まれ、左右側板の第２の板は連結部を介して回動可能な第１の板と連結されているので、第２の板の回動とともに第１の板も回動して折り畳まれる。このように天板と左右側板は同時に開閉動作する。
【００１０】
本発明の請求項２記載のディスプレイ装置用の遮光フードは、前記連繋手段がＬ字状のもので、その一辺側軸部が天板の第２の板の角隅部に回転可能に軸着され、その他辺側軸部が左右側板の第２の板の角隅部に回転可能に軸着され、天板とその左右の左右側板との各々角隅部の２箇所に配されていることを特徴とする。
【００１１】
本発明によれば、Ｌ字状の連繋手段の一辺側軸部が天板の第２の板に回転可能に軸着され、他辺側軸部が左右側板の第２の板に回転可能に軸着されていることから、天板の第２の板と左右側板の第２の板とを各々の角隅部で連結しても各々の開閉動作を円滑に保証し、天板の第１の板と第２の板を上方に山折り状態に回動させるとともに左右側板の第１の板と第２の板を左右の側方に山折り状態に回動させながら開閉動作させることとなる。
【００１２】
本発明の請求項３記載のディスプレイ装置用の遮光フードは、遮光フードが遮光のために開いた状態においては、天板の第１の板と表示画面側との連結部の高さ位置が天板の第１の板と第２の板の連結部の高さ位置よりもやや高い位置に設定され、前記連繋手段の他辺側軸部は遮光フードが遮光のために開くときには左右側板の第２の板に対して下方にスライドし、遮光フードが閉じるときには左右側板の第２の板に対して上方にスライドすることを特徴とする。
【００１３】
本発明によれば、Ｌ字状の連繋手段の他辺側軸部が遮光フードが遮光のために開くときには左右側板の第２の板に対して下方にスライドし、遮光フードが閉じるときには左右側板の第２の板に対して上方にスライドすることから、天板の第１の板の厚みを考慮した開閉動作や、天板と左右側板との隙間を考慮した開閉動作が可能になる。例えば、遮光フードが遮光のために開くときには、天板の第１の板と第２の板が所定の厚みを有していても、Ｌ字状の連繋手段の他辺側軸部が第２の板に対して下方にスライドすることから、この開く動作を保証しながら、遮光フードが開いたときに天板の第１の板の面と第２の板の面とを面一にすることが可能になり、他方、遮光フードが閉じるときには、Ｌ字状の連繋手段の他辺側軸部が第２の板に対して上方にスライドすることから、天板の第１の板と第２の板が所定の厚みを有していても、この閉じる動作を保証しながら重ね合わせるように折り畳むことが可能になる。さらに、これらの天板の第１の板と第２の板の開閉動作を保証しながら、Ｌ字状の連繋手段の他辺側軸部が第２の板に対して上下にスライドすることから、天板の第１の板と第２の板の下面と左右側板の上端との間に隙間を生じさせないようにすることが可能になる。
【発明の効果】
【００１４】
本発明のディスプレイ装置用の遮光フードによれば、第１の板との連結部を介して回動可能な第２の板とを少なくとも有し、天板の第２の板と左右側板の第２の板とを連結する連繋手段により、天板の第２の板が遮光のために開くときには左右側板の第２の板と連動して開き、天板の第２の板が閉じるときには左右側板の第２の板と連動して閉じることから、予め大きな遮光フードとしなくとも必要なときには容易に遮光フードとして天板と左右側板を同時に開いて使用することができ、必要がないときには天板と左右側板を同時に閉じることができるとともに、この開閉動作を一箇所の操作で一挙に行うことができる。そして、前記連繋手段がＬ字状のもので、その一辺側軸部が天板の第２の板の角隅部に回転可能に軸着され、その他辺側軸部が左右側板の第２の板の角隅部に回転可能に軸着されていることから、上記開閉動作を円滑に行うことが可能になる。また、前記連繋手段の他辺側軸部は、遮光フードが遮光のために開くときには左右側板の第２の板に対して下方にスライドし、遮光フードが閉じるときには左右側板の第２の板に対して上方にスライドすることから、遮光フードが開いた状態において、天板の第１の板と第２の板や左右側板の第１の板と第２の板とが面一になるようにするとともに、天板の下面と左右側板の上端との間に隙間を生じさせないようにすることが可能になる。
【発明を実施するための最良の形態】
【００１５】
以下、本発明を実施するための最良の形態を図面にもとづいて説明する。
【００１６】
（第１の実施の形態）
本発明に係る第１の実施の形態は、図１ないし図４に示すように、ディスプレイ装置Ｌの表示画面の周囲に取り付けられる遮光フードＦであり、この遮光フードＦは、ディスプレイ装置Ｌの表示画面の周囲に取り付けられる矩形状の外枠Ｓと、この外枠Ｓに取り付けられる天板Ｆｕと左右側板Ｆｌ，Ｆｒとからなる。ディスプレイ装置Ｌの表示画面は、横長の３２インチの液晶パネルである。天板Ｆｕは、第１の板Ｆｕ１と第２の板Ｆｕ２が連結部Ａ２を介して回動可能に連結され、左右側板Ｆｌ，Ｆｒは、第１の板Ｆｌ１，Ｆｒ１と第２の板Ｆｌ２，Ｆｒ２が連結部Ｂ２を介して回動可能に連結され、そして、天板の第２の板Ｆｕ２と左右側板の第２の板Ｆｌ２，Ｆｒ２とは連繋手段１，１により連結されている。
【００１７】
外枠Ｓは、ディスプレイ装置Ｌの表示画面の周囲に取り付けられるもので、表示画面を露出するための開口部を有する合成樹脂製であり、その正面側には四周囲に正面部フレームＳｕ，Ｓｌ，Ｓｒ，Ｓｄを有し、その上側Ｓｕには天板Ｆｕの第１の板Ｆｕ１が連結部Ａ１を介して回動可能に連結され、その左右側側Ｓｌ，Ｓｒには左右側板Ｆｌ，Ｆｒの第１の板Ｆｌ１，Ｆｒ１が連結部Ｂ１を介して回動可能に連結されている。上記連結部Ａ１，Ａ２，Ｂ１，Ｂ２はいずれもヒンジ構造であり、外枠Ｓの上側Ｓｕに対してヒンジ連結部Ａ１は、天板Ｆｕの第１の板Ｆｕ１をほぼ同じ水平面上（ほぼ１８０度）に回動させるものであり、外枠Ｓの左右側Ｓｌ，Ｓｒに対してヒンジ連結部Ｂ１は、左右側板Ｆｌ，Ｆｒの第１の板Ｆｌ１，Ｆｒ１をほぼ同じ水平面上（ほぼ１８０度）に回動させるものである。本実施の形態の遮光フードＦは、ディスプレイ装置Ｌに外枠Ｓを介して取り付けられるものであるが、ディスプレイ装置Ｌに上記天板Ｆｕの第１の板Ｆｕ１や左右側板Ｆｌ，Ｆｒの第１の板Ｆｌ１，Ｆｒ１を上記連結部Ａ１，Ｂ１を介して直接取り付けることも可能である。なお、外枠Ｓの上面を符号Ｓａとし、左右側面を符号Ｓｂとする。
【００１８】
天板Ｆｕの第１の板Ｆｕ１と第２の板Ｆｕ２とはヒンジ連結部Ａ２で連結され、第１の板Ｆｕ１は、ヒンジ連結部Ａ２により第２の板Ｆｕ２を第１の板Ｆｕ１の先端側に直線状の位置まで回動させる一方、第２の板Ｆｕ２に重なり合うように折り畳まれる。折り畳まれたときの第２の板Ｆｕ２の前面Ｆｕ２ａは、外枠Ｓの正面側の上側Ｓｕと面一になる。第１の板Ｆｕ１と第２の板Ｆｕ２とは、その厚さが同じで長手方向の長さも同じであるが、第１の板Ｆｕ１と第２の板Ｆｕ２との幅は、第２の板Ｆｕ２の方が長くなっている。これにより第１の板Ｆｕ１と第２の板Ｆｕ２を折り畳んで重ね合わせたときに、連繋手段１は第１の板Ｆｕ１と接触することなく第２の板Ｆｕ２に取り付けられる。
【００１９】
左右側板Ｆｌ，Ｆｒの第１の板Ｆｌ１，Ｆｒ１と第２の板Ｆｌ２，Ｆｒ２とはヒンジ連結部Ｂ２で連結され、このヒンジ連結部Ｂ２により、第１の板Ｆｌ１，Ｆｒ１は、その先端側に直線状の位置まで第２の板Ｆｌ２，Ｆｒ２を回動させる一方、第２の板Ｆｌ２，Ｆｒ２に重なり合うように折り畳まれる。折り畳まれたときの第２の板Ｆｌ２，Ｆｒ２の前面Ｆｌ２ａ，Ｆｒ２ａは、外枠Ｓの正面側の左右側Ｓｌ，Ｓｒと面一になる。第１の板Ｆｌ１，Ｆｒ１と第２の板Ｆｌ２，Ｆｒ２とは、その厚さが同じで長手方向の長さも同じであるが、第１の板Ｆｌ１，Ｆｒ１の幅よりも第２の板Ｆｌ２，Ｆｒ２の幅の方が長くなっている。すなわち、第１の板Ｆｌ１，Ｆｒ１と第２の板Ｆｌ２，Ｆｒ２とを折り畳んで重ね合わせると、連繋手段１の方に第２の板Ｆｌ２，Ｆｒ２の方が第１の板Ｆｌ１，Ｆｒ１よりも長く突出するようになる。これにより第１の板Ｆｌ１，Ｆｒ１と第２の板Ｆｌ２，Ｆｒ２を折り畳んで重ね合わせたときに、連繋手段１は第１の板Ｆｌ１，Ｆｒ１と接触することなく第２の板Ｆｌ２，Ｆｒ２に取り付けられる。また、天板Ｆｕの第１の板Ｆｕ１と左右側板Ｆｌ，Ｆｒの第１の板Ｆｌ１，Ｆｒ１の幅は同じで、天板Ｆｕの第２の板Ｆｕ２と左右側板Ｆｌ，Ｆｒの第２の板Ｆｌ２，Ｆｒ２の幅は同じで、いずれかが突出するようなことはない。さらに、左右側板Ｆｌ，Ｆｒの外側の面と天板Ｆｕの第１と第２の板Ｆｕ１，Ｆｕ２の左右の一方端部Ｆｕ１ｂ，Ｆｕ２ｂは面一になり、いずれかが突出するようなことはない（図３）。なお、本実施の形態の天板Ｆｕと左右側板Ｆｌ，Ｆｒには、薄板としての表面保護材Ｃが張り合わされている。
【００２０】
連繋手段１，１は、天板Ｆｕの第２の板Ｆｕ２と左右側板Ｆｌ，Ｆｒの第２の板Ｆｌ２，Ｆｒ２とを各端部で連結するＬ字状のもので、その一辺側軸部１ａが天板Ｆｕの第２の板Ｆｕ２の角隅部に回転可能に軸着され、その他辺側軸部１ｂが左右側板Ｆｌ，Ｆｒの第２の板Ｆｌ２，Ｆｒ２の角隅部に回転可能に軸着されている。これらの左右の角隅部は互いに向かい合う対応する位置であり、天板Ｆｕとその左右の左右側板Ｆｌ，Ｆｒの二箇所の角隅部である。他方、左右側板Ｆｌ，Ｆｒの第２の板Ｆｌ２，Ｆｒ２には、連繋手段１，１の他辺側軸部１ｂを回転可能に支持する摺接部Ｆ１ｂが形成されている。
【００２１】
したがって、本実施の形態によれば、天板Ｆｕか左右側板Ｆｌ，Ｆｒのいずれかを手で把持して、その第１と第２の板を表示画面側からその前方に引き出すようにすると、遮光のために開くようになり、閉じるときには折り畳まれる（図５と図６（ｄ）〜（ａ）の順で開き、（ａ）〜（ｄ）の順で閉じる）。ここでは、天板Ｆｕを手で把持してその第１の板Ｆｕ１と第２の板Ｆｕ２を表示画面側からその前方に引き出すようにする場合を示すと（図５と図６（ｄ）〜（ａ）の順）、第１の板Ｆｕ１は外枠Ｓに対して連結部Ａ１によりほぼ同じ水平面上（ほぼ１８０度）に回動し、第２の板Ｆｕ２は第１の板Ｆｕ１に対して連結部Ａ２によりほぼ同じ水平面上（ほぼ１８０度）に回動する。言い換えると、天板Ｆｕの第１の板Ｆｕ１と第２の板Ｆｕ２とは、上方に山折れする山折れ状態、つまり第２の連結部Ａ２を頂点とする三角形状を変化させながら引き出される（図２）。天板Ｆｕの第２の板Ｆｕ２が引き出されると、天板Ｆｕの第２の板Ｆｕ２と左右側板Ｆｌ，Ｆｒの第２の板Ｆｌ２，Ｆｒ２とを連繋動作させる連繋手段１，１により左右側板Ｆｌ，Ｆｒの第２の板Ｆｌ２，Ｆｒ２が前方に引き出されようになる。左右側板Ｆｌ，Ｆｒの第２の板Ｆｌ２，Ｆｒ２は連結部Ｂ２を介して回動可能な第１の板Ｆｌ１，Ｆｒ１と連結されているので、第１の板Ｆｌ１，Ｆｒ１の回動とともに第２の板Ｆｌ２，Ｆｒ２も回動して前方に引き出される。このとき、外枠Ｓの左右側側Ｓｌ，Ｓｒと第１の板Ｆｌ１，Ｆｒ１と第２の板Ｆｌ２，Ｆｒ２とはほぼ同じ水平面上に回動する。すなわち、第１の板Ｆｌ１，Ｆｒ１は、ほぼ１８０度回動して、第２の板Ｆｌ２，Ｆｒ２は、第１の板Ｆｌ１，Ｆｒ１の先端側で折り返されるように回動する。このように開く動作をすると、図５（ａ）と図６（ａ）に示すように、天板Ｆｕの上面Ｆｕｕは面一になり、左右側板Ｆｌ，Ｆｒの第１の板Ｆｌ１，Ｆｒ１と第２の板Ｆｌ２，Ｆｒ２とは面一になるが、天板Ｆｕと左右側板Ｆｌ，Ｆｒは、それぞれ外枠Ｓの上面Ｓａ、左右側面Ｓｂからは少し距離Ｈ１，Ｈ２をおいて開くこととなる。
【００２２】
他方、遮光フードＦを閉じるときには、天板Ｆｕの第２の板Ｆｕ２を手で把持して表示画面側へ向けて折り畳むようにすると、天板Ｆｕの第２の板Ｆｕ２は連結部Ａ２を介して回動可能な第１の板Ｆｕ１と連結されているので、第１の板Ｆｕ１の回動とともに第２の板Ｆｕ２も回動して折り畳まれる（図５と図６（ａ）〜（ｄ）の順）。言い換えると、天板Ｆｕの第１の板Ｆｕ１と第２の板Ｆｕ２とは、第２の連結部Ａ２を頂点とする三角形状（山折れ状態）を変化させながら折り畳まれる。天板Ｆｕの第２の板Ｆｕ２が折り畳まれると、天板Ｆｕの第２の板Ｆｕ２と左右側板Ｆｌ，Ｆｒの第２の板Ｆｌ２，Ｆｒ２とを連繋動作させる連繋手段１，１により左右側板Ｆｌ，Ｆｒの第２の板Ｆｌ２，Ｆｒ２も折り畳まれ、左右側板Ｆｌ，Ｆｒの第２の板Ｆｌ２，Ｆｒ２は連結部Ｂ２を介して回動可能な第１の板Ｆｌ１，Ｆｒ１と連結されているので、第２の板Ｆｌ２，Ｆｒ２の回動とともに第１の板Ｆｌ１，Ｆｒ１も回動して円滑に折り畳まれる。したがって、折り畳まれた状態では、左右側板Ｆｌ，Ｆｒの幅は、第１の板Ｆｌ１，Ｆｒ１か第２の板Ｆｌ２，Ｆｒ２の幅のいずれかで済むこととなり、これら第１と第２の板Ｆｌ１，Ｆｒ１，Ｆｌ２，Ｆｒ２を合わせた寸法が必要なくなり、予め大きな遮光フードＦとしなくとも良く、その開閉動作を一箇所の操作で一挙に行うことができる。このように閉じる動作をすると、図５（ｄ）と図６（ｄ）に示すように、天板Ｆｕの第１の板Ｆｕ１の上面Ｆｕｕと左右側板Ｆｌ，Ｆｒの第１の板Ｆｌ１，Ｆｒ１の外側の面（表面保護材Ｃ側の面）は、外枠Ｓの上面Ｓａと左右側面Ｓｂに限りなく近づいて（ほとんど距離をおかずに）対向するように折り畳まれる。なお、左右側板Ｆｌ，Ｆｒのうちの両方あるいはいずれか一方を把持して開閉することも可能であり、これらの場合も連繋手段１を介して同じように開閉動作する。
【００２３】
（第２の実施の形態）
本実施の形態は、遮光フードＦが遮光のために開いたときに、天板Ｆｕの第１の板Ｆｕ１と第２の板Ｆｕ２とが面一になるようにし、なおかつ、天板Ｆｕの下面Ｆｕａと左右側板Ｆｌ，Ｆｒの上端Ｆｌｕ，Ｆｒｕとの間に隙間を生じさせないようにしたもので、図７ないし図９に示すように、遮光フードＦが遮光のために開いた状態においては、天板Ｆｕの第１の板Ｆｕ１と表示画面側との連結部Ａ１の中心位置１ａが天板Ｆｕの第１の板Ｆｕ１と第２の板Ｆｕ２との連結部Ａ２の中心位置２ａよりもやや高い位置に設定されている（図８（ｂ））。すなわち、外枠Ｓと天板Ｆｕの第１の板Ｆｕ１との連結部Ａ１の中心位置１ａよりも天板Ｆｕの第１の板Ｆｕ１と第２の板Ｆｕ２との連結部Ａ２の中心位置２ａの方が低くなっている。これに対して、上記第１の実施の形態では、遮光フードＦが遮光のために開いた状態においては、天板Ｆｕの第１の板Ｆｕ１と表示画面側との連結部Ａ１の中心位置１ａが天板Ｆｕの第１の板Ｆｕ１と第２の板Ｆｕ２との連結部Ａ２の中心位置２ａと一致している（図８（ａ））。
【００２４】
連繋手段１１，１１は、天板の第２の板Ｆｕ２と左右側板Ｆｌ，Ｆｒの第２の板Ｆｌ２，Ｆｒ２とを各端部で連結するＬ字状のもので、その一辺側軸部１１ａが天板の第２の板Ｆｕ２の角隅部に回転可能に軸着され、その他辺側軸部１１ｂが左右側板Ｆｌ，Ｆｒの第２の板Ｆｌ２，Ｆｒ２の角隅部に回転可能に軸着されている。連繋手段１１の他辺側軸部１１ｂは、その上下端側ｂｂが各々幅広の径となり、その間ｂａが幅狭の径となっており、この幅狭の径の部分ｂａと摺接する摺接部Ｆ１ｂが左右側板Ｆｌ，Ｆｒの第２の板Ｆｌ２，Ｆｒ２に設けられ、連繋手段１１の他辺側軸部１１ｂが上下にスライドすると、幅広の径の上下端側ｂｂと当接してそれ以上の上下のスライドは規制される。
【００２５】
したがって、本実施の形態によれば、遮光フードＦが折り畳まれた状態から遮光のために開くときは、第１の実施の形態と同様に、天板Ｆｕの第１の板Ｆｕ１と第２の板Ｆｕ２とが面一になる開動作を保証するが（図１０（ｄ）〜（ａ）の順で開き、（ａ）〜（ｄ）の順で閉じる）、Ｌ字状の連繋手段１１の他辺側軸部１１ｂが左右側板Ｆｌ，Ｆｒの第２の板Ｆｌ２，Ｆｒ２に対して下方にスライドすることから、天板Ｆｕの第１の板Ｆｕ１と第２の板Ｆｕ２の下面Ｆｕａと左右側板Ｆｌ，Ｆｒの第１の板Ｆｌ１，Ｆｒ１の上端Ｆｌ１ｕ，Ｆｒ１ｕと第２の板Ｆｌ２，Ｆｒ２の上端Ｆｌ２ｕ，Ｆｒ２ｕとの間に隙間Ｍａを生じさせないようにすることが可能になる。すなわち、上記第１の実施の形態では、遮光フードＦが遮光のために開いた状態において、天板Ｆｕの第１の板Ｆｕ１、第２の板Ｆｕ２と、左右側板Ｆｌ，Ｆｒの上端Ｆｌ１ｕ，Ｆｒ１ｕ，Ｆｌ２ｕ，Ｆｒ２ｕとの間に隙間Ｍｂが生じているが（図８（ａ））、本実施の形態では、遮光フードＦが遮光のために開いた状態においては、左右側板Ｆｌ，Ｆｒの上端Ｆｌ１ｕ，Ｆｒ１ｕ，Ｆｌ２ｕ，Ｆｒ２ｕと外枠Ｓの上面Ｓａとが一致するため、天板Ｆｕの第１の板Ｆｕ１、第２の板Ｆｕ２と左右側板Ｆｌ，Ｆｒの上端Ｆｌ１ｕ，Ｆｒ１ｕ，Ｆｌ２ｕ，Ｆｒ２ｕとの間に隙間Ｍａが生じないようになる（図８（ｂ））。これにより外枠Ｓの上面Ｓａや左右側板Ｆｌ，Ｆｒの上端Ｆｌ１ｕ，Ｆｒ１ｕ，Ｆｌ２ｕ，Ｆｒ２ｕから外光が遮光フードＦ内に入り込むことを防止する。
【００２６】
他方、遮光フードＦが閉じるときには、Ｌ字状の連繋手段１１の他辺側軸部１１ｂは、左右側板Ｆｌ，Ｆｒの第２の板Ｆｌ２，Ｆｒ２に対して一旦上方にスライドして（図９において符号Ｐの距離上下にスライド可能になっている。）、その後はその位置を維持して折り畳まれる（図９、図１０の矢印参照）。ここで、本実施の形態では、天板Ｆｕの第１の板Ｆｕ１が外枠Ｓの上面Ｓａと接触してしまうようなこともなく折り畳まれる。すなわち、上記第１の実施の形態では、天板Ｆｕの第１の板Ｆｕ１と表示画面側との連結部Ａ１の中心位置１ａが天板Ｆｕの第１の板Ｆｕ１と第２の板Ｆｕ２との連結部Ａ２の中心位置２ａと一致しているため（図８（ａ））、上記連結部Ａ１の中心位置１ａをある程度高い位置に設定しなければ、折り畳んだときに天板Ｆｕの第１の板Ｆｕ１が外枠Ｓの上面Ｓａと接触してしまう事態が生じるが、これを防止するために高くすると、上述のとおり、遮光フードＦが開いた状態において、天板Ｆｕの第１の板Ｆｕ１、第２の板Ｆｕ２と左右側板Ｆｌ，Ｆｒの上端Ｆｌ１ｕ，Ｆｒ１ｕ，Ｆｌ２ｕ，Ｆｒ２ｕとの間に隙間Ｍｂを生じさせてしまうこととなる。これに対して、本実施の形態の場合、天板Ｆｕの第１の板Ｆｕ１と表示画面側との連結部Ａ１の中心位置１ａが天板Ｆｕの第１の板Ｆｕ１と第２の板Ｆｕ２との連結部Ａ２の中心位置２ａよりもやや高い位置に設定されているため（図８（ｂ））、連結部Ａ１の中心位置１ａを外枠Ｓの上面Ｓａからさほど高い位置にしなくとも、天板Ｆｕの第１の板Ｆｕ１と外枠Ｓの上面Ｓａを接触させることなくスムーズに折り畳むことが可能になり、なおかつ、上述のとおり、遮光フードＦが開いた状態においては、天板Ｆｕの第１の板Ｆｕ１や第２の板Ｆｕ２と左右側板Ｆｌ，Ｆｒの上端Ｆｌ１ｕ，Ｆｒ１ｕ，Ｆｌ２ｕ，Ｆｒ２ｕとの間に隙間Ｍａを生じさせないようにすることが可能になる（図８（ｂ））。
【００２７】
このように、天板Ｆｕの第１の板Ｆｕ１と表示画面側との連結部Ａ１の中心位置１ａが天板Ｆｕの第１の板Ｆｕ１と第２の板Ｆｕ２との連結部Ａ２の中心位置２ａよりもやや高い位置に設定されていること、および、Ｌ字状の連繋手段１１の他辺側軸部１１ｂが第２の板Ｆｌ２，Ｆｒ２に対して上下にスライドすることにより、天板Ｆｕの第１の板Ｆｕ１と第２の板Ｆｕ２が所定の厚みを有していても、遮光フードＦが開くときには、この開く動作を保証しながら、天板Ｆｕの第１の板Ｆｕ１と第２の板Ｆｕ２とを面一にするとともに、天板Ｆｕの下面Ｆｕａと左右側板Ｆｌ，Ｆｒの上端Ｆｌｕ，Ｆｒｕとの間に隙間Ｍａを生じさせないようにすることが可能になり、また、遮光フードＦが閉じるときには、この閉じる動作を保証しながら、天板Ｆｕの第１の板Ｆｕ１と第２の板Ｆｕ２とを重ね合わせるように折り畳み、しかも天板Ｆｕの第１の板Ｆｕ１と外枠Ｓの上面Ｓａを接触させることなくスムーズに折り畳むことが可能になる。
【図面の簡単な説明】
【００２８】
【図１】本発明の第１の実施の形態であるディスプレイ装置用の遮光フードの斜視図である。
【図２】上記第１の実施の形態の遮光フードが遮光のために開く状態を示す斜視図である。
【図３】上記第１の実施の形態の遮光フードが遮光のために開いた状態を示す斜視図である。
【図４】上記第１の実施の形態の天板が開いた状態の平面図である。
【図５】上記第１の実施の形態の天板の折り畳み状態を説明する側面図である。
【図６】上記第１の実施の形態の左右側板の折り畳み状態を説明する平面図である。
【図７】本発明の第２の実施の形態の遮光フードが遮光のために開く状態を示す斜視図である。
【図８】上記第１の実施の形態の動作と第２の実施の形態の動作を比較して説明する側面図である。
【図９】上記第２の実施の形態の天板の折り畳み状態を説明する平面図である。
【図１０】上記第２の実施の形態の天板の折り畳み状態を説明する側面図である。
【符号の説明】
【００２９】
１，１１    連繋手段、１ａ，１１ａ  一辺側軸部、１ｂ，１１ｂ  他辺側軸部、
Ａ１，Ａ２  天板の連結部（ヒンジ連結部）、
Ａ１        第１の連結部、Ａ２  第２の連結部、
Ｂ１，Ｂ２  左右側板の連結部（ヒンジ連結部）、
Ｂ１        第１の連結部、Ｂ２  第２の連結部、
Ｆ          遮光フード、
Ｌ          ディスプレイ装置、
Ｓ          外枠、Ｓｕ  外枠の正面側の上側、
Ｓｌ，Ｓｒ  外枠の正面側の左右側側、
Ｓａ        外枠の上面、Ｓｂ  外枠の左右側面、
Ｆｕ        天板、Ｆｕ１  天板の第１の板、Ｆｕ２  天板の第２の板、
Ｆｕｕ      天板の上面、Ｆｕａ  天板の下面、
Ｆｌ，Ｆｒ  左右側板、Ｆｌ１，Ｆｒ１  左右側板の第１の板、
Ｆｌ２，Ｆｒ２  左右側板の第２の板、
Ｆｌ１ｕ，Ｆｒ２ｕ  左右側板の上端、
１ａ        外枠と天板の第１の板との連結部の中心、
２ａ        天板の第１の板と第２の板との連結部の中心、
Ｍａ，Ｍｂ  隙間
【図１】
2006173725.tif 000003
【図２】
2006173725.tif 000004
【図３】
2006173725.tif 000005
【図４】
2006173725.tif 000006
【図５】
2006173725.tif 000007
【図６】
2006173725.tif 000008
【図７】
2006173725.tif 000009
【図８】
2006173725.tif 000010
【図９】
2006173725.tif 000011
【図１０】
2006173725.tif 000012